(57)【特許請求の範囲】
【請求項１】
リール本体(1)の側面に着脱されるサイドカバー(2)構造において、
分解のための止め溝(2a)と組立のための多数の止め溝(2b)とが孔(2e)の内側に形成され、前記止め溝(2a)及び止め溝(2b)に連接する壁(2c)が形成されるサイドカバー(2)と、
前記サイドカバー(2)の内側部に組み立てられ、円周上３方向にはウェッジ形のカム突起(6a)が形成され、ストッパ(8)が装着される孔(6e)が一側に形成され、前記孔(6e)に組み付けられるストッパ(8)との間に組み付けられるストッパバネ(9)を填める溝(6b)が形成され、ねじ組み付けのための多数の孔(6c,6f)が形成されるスプールカバー(6)と、
前記サイドカバー(2)の外側部に組み付けられるとともに、前記スプールカバー(6)にねじを通じて組み付けられ、ストッパ(8)が挿入される孔(4b)とねじが貫通する孔(4d)が形成され、中央には長方形の突起(4a)が形成され、外側の円周上には止め突起が形成されるレバー(4)と、
前記スプールカバー(6)の孔(6e)に底面が組み付けられ、その上方には前記レバーの孔(4b)に挿入されたまま摺動され、傾斜面(8b)と連接する係止突起(8a)が形成されるストッパ(8)と、
前記レバー(4)の外側部に組み付けられ、前記レバー(4)の突起が貫通される長孔(3a)が形成され、押し板バネ(7)が外部に組み付けられつつ前記レバー(4)との組立のためのねじが組み立てられるねじ孔が内側に形成される多数の突出管(3c)と、
ストッパの傾斜面(8b)を押す押し突起(3b)とが形成される押し板(3)とから構成され、
前記押し板(3)を押すことでストッパ(8)が係止から外れ、この状態で、レバー(4)の突起を左側に回転させあるいは右側に回転させることでスプールカバー(6)のカム突起(6a)がリール本体(1)に形成された締結突起(1a)に係脱されるようにしてリール本体(1)にサイドカバー(2)が組み付けられあるいは分解されることを特徴とする釣り用両軸受形リールのサイドカバー着脱構造。平成１５年９月３０日付けの拒絶理由通知でご指摘を受けました不明瞭な点を全て解消すべく唯一の請求項１を補正しました。
【発明の詳細な説明】
【０００１】
【発明の属する技術分野】
本発明は、釣り用両軸受形リールのサイドカバーの着脱構造に関するものである。
【０００２】
【従来の技術】
釣り餌を投げて巻き取られるルアー（ｌｕｒｅ）釣り用のキャスティングリールにおいて、釣り餌あるいは誘引用餌を遠投するときに釣り糸がスプールに縺れる場合がある。そのため、これを解けて整理しなければならない。そして、より円滑なキャスティングのためにスプールの一側に装置されるブレーク１２を調整すべきときは、上記のようにスプールに釣り糸が縺れたときにリール本体１からサイドカバー２を分離させなければならない。したがって、サイドカバーの分解及び組立はキャスティングリールにおいて非常に重要な作用をする。
【０００３】
言い換えれば、スプール１１やブレーク１２などの部品を交換しあるいは操作するためにサイドカバー２は必須的に備えられるべきであり、これはリール本体と分解及び組立が容易であり、使用するのに不便さがないのが望ましい。
【０００４】
しかし、従来のサイドカバーでは、長い長さを有する２つあるいは３つのボルトをリール本体に貫通するようにし、前記ボルトにサイドカバーを組み立てる構造があった。これは、サイドカバーを組み立てあるいは分解するときに工具が必要であり、組立及び分解に長時間がかかり、扱いに不便さがあるなど短所があり、リール本体からサイドカバーが弛緩されやすい問題があった。そして、サイドカバーとスプールカバー６を一体に組み立てた後、サイドカバーをリール本体に組み立てるとき、サイドカバーを回転させてスプールカバーの突起とリール本体の突起が相互に係合されるようにするなどの構造がある。これはスプールカバーの突起の位置及び距離、リール本体の突起の位置及び距離などが正確に合わなければならないので、機械加工時に多くの難しさがあり、不良の発生可能性が高く、長期間を使用すれば突起または溝などの磨耗のため、サイドカバーとリール本体との間に隙間が生じて異物が付き、またはリールの使用時に騒音及び振動が発生するという短所があった。
【０００５】
また、サイドカバーにレバーを装置し、これを取り上げて回すようにしてから、スプールカバーに雄ねじを形成させると共にリール本体には雌ねじを形成させて前記レバーを回すことにより、サイドカバーがリール本体に組み立てられるようにする構造があるが、これも加工上の難しさが多く、部品の組立が難しく、サイドカバーを締めてリール本体に組み立てるために前記レバーを２回り以上回転させなければならないなどの使用上の多くの不便さがあった。
【０００６】
【発明が解決しようとする課題】
したがって本発明の目的は、工具を使用せずに手で着脱が可能なので、部品の交替や操作などが迅速・容易に行える釣り用両軸受形リールのサイドカバー着脱構造を提供することにある。
【０００７】
また本発明の目的は、サイドカバーの組立状態が堅固で、ワンタッチ操作でサイドカバーをリール本体に組み立てあるいは分解することができる釣り用両軸受形リールのサイドカバー着脱構造を提供することにある。
【０００８】
【課題を解決するための手段】
このような目的を達成するために本発明は、リール本体１の側面に着脱されるサイドカバー２の構造において、分解のための止め溝２ａと組立のための多数の止め溝２ｂが孔２ｅの内側に形成され、前記止め溝２ａと止め溝２ｂに連接する壁２ｃが形成されるサイドカバーと、前記サイドカバーの内側部に組み立てられ、円周上３方向にはウェッジ形のカム突起６ａが形成され、ストッパが装置される孔６ｅが一側に形成され、前記孔６ｅに組み立てられるストッパとの間に組み立てられるストッパバネ９が填められる溝６ｂが形成され、ねじ組立のための多数の孔６ｃ、６ｆが形成されるスプールカバーと、前記サイドカバーの外側部に組み立てられながら、前記スプールカバーとねじを通じて組み立てられ、ストッパが挿入される孔４ｂとねじが貫通する孔４ｄが形成され、中央には長方形の突起４ａが形成され、外側の円周上には止め突起４ｃが形成されるレバーと、前記スプールカバーの孔６ｅに底面が組み立てられ、その上方には前記レバーの孔４ｂに挿入されたまま摺動され、傾斜面８ｂと連接する係止突起８ａが形成されるストッパと、前記レバーの外側部に組み立てられ、前記レバーの突起４ａが貫通される長孔３ａが形成され、押し板バネ７が外部に組み立てられつつ前記レバーとの組立のためのねじ５が組み立てられるねじ孔が内側に形成される多数の突出管３ｃと、ストッパの傾斜面８ｂを押す押し突起３ｂとが形成される押し板とから構成され、前記押し板を押したまま、レバーの突起を左側に回転させあるいは右側に回転させるにしたがってストッパがロックされあるいはオープンされると同時にスプールカバーのカム突起がリール本体に形成された締結突起１ａに係脱されるようにしてリール本体にサイドカバーが組み立てられあるいは分解されることを特徴とする釣り用両軸受形リールのサイドカバー着脱構造を提供する。
【０００９】
【発明の実施の形態】
以下、本発明の望ましい実施例を添付の図面を参照して詳細に説明する。そして、下記の説明において、本発明による動作を理解するのに必要な部分のみを説明し、それ以外の部分についての説明は本発明の要旨を不明にする恐れがあるので省略する。
【００１０】
まず、図１において、図２に示すように押し板３を押して押し突起３ｂがストッパ８の傾斜面８ｂに沿って挿入されると、ストッパ８は内側に移動される（図４を参照）。この状態は、ストッパ８の係止突起８ａがサイドカバー２の係止溝２ａから離脱されることである。次に、レバー４の突起４ａを“ロック（ｌｏｃｋ）”方向に回すと、スプールカバー６のカム突起６ａがリール本体１の締結突起１ａと接触されたまま回転し、このときカム突起６ａは図１０のように厚さがだんだん厚くなるウェッジ形で構成されているので、カム突起６ａはリール本体の締結突起１ａに堅固に締結されて固定される。ここで、押し板３を押している手を外すと、押し板バネ７の弾性により押し板は元の位置に戻り、ストッパバネ９の弾性によりストッパ８は外部に移動して係止突起８ａはサイドカバーの止め溝２ｂのうちいずれか一つに挿入される（図７を参照）。したがって、サイドカバーはリール本体に堅固に固定されたまま分離されない。
【００１１】
次に、サイドカバーをリール本体から分離させるためには押し板３を押すと同時にレバーの突起４ａをロック状態の反対方向、すなわち“オープン（ｏｐｅｎ）”方向に回すと、上述したように押し突起３ｂがストッパ８を内側に移動させることにより、ストッパの係止突起８ａは係止溝２ｂから離脱され、レバーのカム突起６ａはリール本体の係止突起１ａから摺動して柔らかく係止突起１ａから外れる。このとき、レバーの止め突起４ｃはサイドカバーの壁２ｃに掛かってこれ以上レバーが回転しないようにするが、この状態はサイドカバーがリール本体から分離される状態である。そして、押し板を押している圧力を除去すると、ストッパ８の係止突起８ａは上述したようにストッパバネ９の弾性によりサイドカバーの係止溝２ａの中に挿入され、つまりスプールカバーのカム突起６ａはこれ以上動かずに固定される（図６を参照）。
【００１２】
【発明の効果】
上述したように本発明は、ウェッジ形のカム突起が形成されるスプールカバーと係止溝が形成されるサイドカバー、そして止め突起と突起が形成されるレバー及び押し突起が形成される押し板、ストッパを備える構造を取ることで、別途の工具なしに手で簡単に、そして迅速な操作が可能であり、サイドカバーの締結状態が堅固なので耐久性が良好で、カム突起の構造により長時間を使用してもサイドカバーがリール本体から緩むようになるという問題がなくなるなど多数の有用な効果がある。また、本発明は構造的特性上、機械加工に無理がないので生産性が良好であることはもちろん、不良が発生する恐れが非常に低く、誤動作や故障が発生する恐れがほぼないなど多様な効果を有する。
【図面の簡単な説明】
【図１】本発明の使用状態を示す縦断面図。
【図２】図１で押し板を押す状態を示す断面図。
【図３】図１の“Ｆ”部分の拡大図。
【図４】図２の“Ｈ”部分の拡大図。
【図５】本発明の分解斜視図。
【図６】本発明において、レバーの位置が“開”状態であることを示す正面図。
【図７】本発明において、レバーの位置が“閉”状態であることを示す正面図。
【図８】本発明の使用状態を示す横断面図。
【図９】本発明のスプールカバーを示す正面図。
【図１０】図９のＫ−Ｋに沿った断面図。
【図１１】本発明と組み立てられるリール本体の正面図。
【図１２】本発明のリール側板の内部を示す正面図。
【図１３】本発明が組み立てられた状態を示す正面図。
【符号の説明】
１：リール本体                      ２：サイドカバー
３：押し板                          ６：レバー
６：スプールカバー                  ８：ストッパ
【図１】
0003567872.tif 000002
【図２】
0003567872.tif 000003
【図３】
0003567872.tif 000004
【図４】
0003567872.tif 000005
【図５】
0003567872.tif 000006
【図６】
0003567872.tif 000007
【図７】
0003567872.tif 000008
【図８】
0003567872.tif 000009
【図９】
0003567872.tif 000010
【図１０】
0003567872.tif 000011
【図１１】
0003567872.tif 000012
【図１２】
0003567872.tif 000013
【図１３】
0003567872.tif 000014